(57)【要約】      （修正有）【課題】停電の有無に拘らず地震時には光源を点灯させ安全地域への避難経路を表示し、避難時には表示パネルの部分を取り外して持ち運びできる避難経路表示装置を提供する。【解決手段】持ち運び可能な筐体１１と、前記筐体に設けられた光源１２と、避難経路を表示する表示パネル１３と、前記光源に手動入切スイッチ１４を介して接続された電池１５と、商用電源３から前記光源へ電力を供給し、前記筐体側の端子との間が着脱可能に設けられた電力供給線１６Ａ〜１６Ｃと、地震の震度を感知する地震センサ１８と、前記電力供給線に直列に設け、前記地震センサにより感知した震度が所定値以上の場合にＯＮする自動入切スイッチ１９と、前記電源からの電力を蓄電し前記光源へ当該蓄電された電力を供給する二次電池２１と、前記電源からの電力を調整して前記光源又は前記二次電池へ供給する電力調整回路２０，２２，２３，２４，２５と、を備える。【選択図】図１
0003179731.tif 000002
【実用新案登録請求の範囲】
【請求項１】
持ち運び可能な筐体と、
前記筐体に設けられた光源と、
前記筐体に設けられ、前記光源により照明され、避難経路を表示する表示パネルと、
前記筐体に設けられ、前記光源に手動入切スイッチを介して接続された電池と、
商用電源から前記光源へ電力を供給するとともに、前記筐体側の電力回路の端子との間が着脱可能に設けられた電力供給線と、
地震の震度を感知する地震センサと、
前記電力供給線に直列に設けられ、前記地震センサにより感知した震度が所定値以上の場合にＯＮする自動入切スイッチと、
前記電源からの電力を蓄電するとともに前記光源へ当該蓄電された電力を供給する二次電池と、
前記電源からの電力を調整して前記光源又は前記二次電池へ供給する電力調整回路と、
を備える避難経路表示装置。
【請求項２】
前記入切スイッチは、少なくとも震度が４以上の場合にＯＮする請求項１に記載の避難経路表示装置。
【請求項３】
前記表示パネルは、前記筐体に対して交換可能に設けられている請求項１又は２に記載の避難経路表示装置。
【請求項４】
前記光源がＬＥＤである請求項１〜３のいずれか一項に記載の避難経路表示装置。
【考案の詳細な説明】
【技術分野】
【０００１】
本考案は、停電の有無に拘らず地震を感知して点灯する照明付き避難経路表示装置に関するものである。
【背景技術】
【０００２】
避難経路表示装置の発光体を建物などの床面に埋設し、避難経路を明るく照らすことにより避難方向を明示するものが提案されている（特許文献１）。しかしながら、この避難経路表示装置は特定の避難経路に限って機能するものであり汎用性に欠ける。また、大地震の場合には建物の床面も被害を受ける可能性が高いので、地震に対する避難経路表示装置としては万全ではない。
【先行技術文献】
【特許文献】
【０００３】
【特許文献１】特開平８−２７３０５９号公報
【考案の概要】
【考案が解決しようとする課題】
【０００４】
本考案が解決しようとする課題は、停電の有無に拘らず地震時には光源を点灯させて安全地域への避難経路を表示するとともに、避難時には表示パネルの部分を取り外して持ち運びできる避難経路表示装置を提供することである。
【課題を解決するための手段】
【０００５】
本考案は、所定値以上の震度を感知したら光源のスイッチを自動入力する回路と、光源にて照明し避難経路を表示する着脱可能な表示パネルと、を備えることにより、上記課題を解決する。
【考案の効果】
【０００６】
本考案によれば、停電の有無に拘らず、所定値以上の震度を感知したら光源のスイッチが自動入力し、これにより光源が点灯して表示パネルを照明するので、停電しない地震が発生しても表示パネルを自動的に照明することができ、照明器具のスイッチを入力する操作が不要となる。また、表示パネルは取り外して持ち運びできるので、避難時には表示パネルで避難経路を確認しながら、しかも光源により暗所を照らしながら避難することができる。その結果、暗所で衝突して怪我をしたり逃げ遅れたりすることがなくなり、安全かつ短時間で避難することができる。
【図面の簡単な説明】
【０００７】
【図１】本考案の一実施の形態に係る照明器具を示す電気回路図である。
【図２】図１の筐体を示す正面斜視図である。
【図３】図１の筐体を示す背面斜視図である。
【考案を実施するための形態】
【０００８】
本考案に係る避難経路表示装置１は、家屋内外、特に旅館やホテルなどの客室内に設けられ、地震災害時に安全な場所への避難経路を示すとともに非常用照明としても機能する避難経路表示装置である。本例の避難経路表示装置１の筐体１１には、安全な場所への避難経路を示す表示パネル１３が着脱可能に設けられ、設置場所に応じて避難経路の地図を交換できるようになっている。表示パネル１３はアクリル樹脂などのように割れ難く、軽量かつ廉価な材料で構成することが好ましく、こうした材料のパネル表面に避難経路の地図を印刷などで描画する。また表示パネル１３の透明度を高めておくことで、裏面に設けた光源１２によって好適に避難経路を視認することができ、しかも光源１２から表示パネル１３を透過した光によって周囲の暗所を照らすことができ、懐中電灯の役目も果たすことになる。
【０００９】
筐体１１には、表示パネル１３を照明するための光源（ＬＥＤ光源や蛍光灯）１２が一つ又は複数設けられ、電力供給線１６Ｃを介して商用電源３からの電力が供給されるとともに、電力供給線１６Ｃのジャックコネクタ１７を抜いた場合には、手動入切スイッチ１４をＯＮすることで電池（乾電池又は二次電池）１５からの電力が供給される。光源１２は、表示パネル１３の裏面に設けることもできるが、表示パネル１３の側面に複数配置し、導光板などを介して表示パネル１３の裏面全体を照明してもよい。こうすることで、筐体を薄型化することができ、避難時に邪魔になるのを防止できる。
【００１０】
なお、ジャックコネクタ１７は、筐体１１内の電力供給線１６Ｃの一端と筐体１１外の電力供給線１６Ｂの一端とを着脱可能とする電気コネクタであり、通常のスタンバイ状態ではジャックコネクタ１７を接合しておき、地震センサ１８による自動入切スイッチ１９のＯＮを待機するが、地震災害があった場合の避難時には、ジャックコネクタ１７を抜いて手動入切スイッチ１４をＯＮし、筐体１１のみを携帯し、表示パネル１３の避難経路を確認しながら避難する。
【００１１】
図２に筐体１１の正面斜視図、図３に筐体１１の背面斜視図を示す。筐体１１の一方の側部には把持部２９が設けられ、避難時に把持部を持ちながら避難経路を確認しつつ、光源１２によって暗所を照らしながら避難することができる。また、図３に示すように、筐体１１の裏面には裏蓋２８が着脱可能に設けられ、この裏蓋２８を取り外すと表示パネル１３が交換できるようになっている。したがって、本例の避難経路表示装置１をある特定の旅館の客室に配置する場合は、その客室に応じた避難経路を描画した表示パネル１３を装着することができ、汎用性が高くなる。
【００１２】
また、筐体１１の裏面には、図１に示す乾電池又は二次電池１５を収納したケースと、手動入切スイッチ１４と、ジャックコネクタ１７の一方が設けられている。
【００１３】
図１に戻り、商用交流電源３のコンセントに接続される制御ボックス３０には、商用交流電源３の交流電力を直流電力に変換するＡＣ／ＤＣ変換回路２０と、変換された直流電力を蓄電する二次電池２１と、変換された直流電力を再び交流電力に変換するＤＣ／ＡＣ変換回路２２と、変換された交流電力を整流する波形整形回路２３、交流電力を整流して直流電力に変換する整流回路２４と、整流された直流電力をＬＥＤ光源の定格電圧に降圧する降圧回路２５、自動入切スイッチ１９と、地震の震度を感知する地震センサ１８と、自動入切スイッチ１９がＯＮした場合にこれをリセットしてＯＦＦ状態に戻すためのリセットスイッチ２６と、自動入切スイッチ１９がＯＦＦ状態の場合に点灯又は点滅するＬＥＤなどからなるスタンバイ確認灯２７と、が収納されている。なお、降圧回路２５と自動入切スイッチ１９との間などに、降圧された定格電圧を所望の電圧に調整して光源１２の明るさを調整する調光回路を設けてもよい。こうすることで、たとえば停電時において、ユーザは、調光スイッチを所望に操作することで二次電池２１を延命させることができる。
【００１４】
なお、波形整形回路２３は、変圧器やフィルタ回路などで構成されている。そして、商用電源３が停電した場合には二次電池２１がＤＣ／ＡＣ変換回路２２の電力供給源となり、停電しない場合には商用電源３がＤＣ／ＡＣ変換回路２２及び二次電池２１の電力供給源となる。
【００１５】
本例の避難経路表示装置１は、非停電時には商用交流電源３から供給される交流電力が電力供給線１６Ａ〜１６Ｃを介して光源１２に供給され、停電時には二次電池２１から供給される直流電力が光源１２に供給され、また筐体１１のジャックコネクタ１７を取り外して手動入切スイッチ１４をＯＮした場合には乾電池１５からの直流電力が電力供給線１６Ｄを介して光源１２に供給される。
【００１６】
本例の避難経路表示装置１は、地震の震度を感知する地震センサ１８と、この地震センサ１８により感知した震度に応じてＯＮする自動入切スイッチ１９と、自動入切スイッチ１９がＯＮした場合にこれをリセットしてＯＦＦ状態に戻すためのリセットスイッチ２６と、自動入切スイッチ１９がＯＦＦ状態の場合に点灯又は点滅するＬＥＤなどからなるスタンバイ確認灯２７と、を備える。地震センサ１８は、機械式又は電気式のいずれも採用することができる。電気式地震センサを採用する場合には、停電時においても当該地震センサにも電力が供給されるように回路構成する必要があるが、本例の避難経路表示装置１は二次電池２１を内蔵しているので、機械式地震センサに限定されず電気式地震センサを用いることができる。
【００１７】
本例の自動入切スイッチ１９は、地震センサ１８により感知した震度が、たとえば震度４以上の場合にＯＮするように構成されている。この機構は機械式で構成することが望ましいが、本例の避難経路表示装置１は停電時においても電力が供給される回路構成となっているので電気式機構で構成してもよい。
【００１８】
なお、本考案の光源１２はＬＥＤ光源にのみ限定されず、交流電力で作動する白熱灯や蛍光灯も適用することができる。交流電力の光源を用いる場合は、整流回路２４及び降圧回路２５を省略することもできる。さらに、ＬＥＤ光源などは直流電力により動作するので、図１に示すＤＣ／ＡＣ変換回路２２、波形整形回路２３及び整流回路２４を省略し、ＡＣ／ＤＣ変換回路２０により変換された直流電力を直接降圧回路２５にて降圧してもよい。
【００１９】
以上のように、本例の避難経路表示装置１によれば、震度が所定以上、たとえば震度４を感知すると、停電の有無に拘らず自動的に光源１２が点灯するので、非停電時においても、また停電時においても、光源１２が自動的に点灯する。その結果、表示パネル１３に描画された避難経路を視認することができ、暗所で衝突して怪我をしたり逃げ遅れたりすることがなくなり、安全に避難することができる。
【００２０】
また、停電時には制御ボックス３０に内蔵された二次電池２１からＬＥＤ光源１２へ電力が供給されるので、地震が発生して停電になっても光源１２が自動的に点灯する。このとき、本例の避難経路表示装置１は、ＬＥＤ光源１２を用いているので、停電時には長時間の照明が可能となり、また表示パネル１３を透過した光によって暗所を照らすこともできるので必要な家財道具等を持ち出すことができる。
【００２１】
また、本例の避難経路表示装置１は、避難に必要とされる構成部品が筐体１１内に収納され、電力供給線１６Ｂが筐体１１側の端子部分のジャックコネクタ１７で着脱可能に構成されているので、筐体１１を電源３及び電力供給線１６Ｂから取り外し、携帯することができる。その結果、筐体１１を屋外や、屋内であっても設置個所から離れた部屋などに持ち出すことができ、避難者は表示パネル１３の避難経路地図を確認しながら、しかも避難経路を照明しながら避難することができるので、迅速かつ安全に避難することができる。
【００２２】
また、表示パネル１３は交換可能に構成されているので、表示パネル１３のみを交換することで設置場所の汎用性が高くなる。
【符号の説明】
【００２３】
１…避難経路表示装置
１１…筐体
１２…ＬＥＤ光源
１３…表示パネル
１４…手動入切スイッチ
１５…乾電池（又は二次電池）
１６Ａ，１６Ｂ，１６Ｃ，１６Ｄ…電力供給線
１７…ジャックコネクタ
１８…地震センサ
１９…自動入切スイッチ
２０…ＡＣ／ＤＣ変換回路
２１…二次電池
２２…ＤＣ／ＡＣ変換回路
２３…波形整形回路
２４…整流回路
２５…降圧回路
２６…リセットスイッチ
２７…スタンバイ確認灯
２８…裏蓋
２９…把持部
３０…制御ボックス
３…商用交流電源
【図１】
0003179731.tif 000003
【図２】
0003179731.tif 000004
【図３】
0003179731.tif 000005